(57)【要約】【課題】給紙トレイのエンドガイドを取付けたアームが揺動して待避する構成を有する給紙トレイにおいて、サイズが異なる用紙を給紙トレイ内に装入した場合にも、エンドガイド及びアームが無理なく作動するようにした。【解決手段】エンドガイド２０をアーム１０の中間部に回動自在にピン結合し、エンドガイド２０の先端部をサイドプレート３０の貫通溝３３内を遊動するノブ４０段付きピン形状とし、その小径部先端をエンドガイド２０頭部２２に係止し、貫通溝３３には、用紙サイズに応じてノブ４０の大径部が嵌着し、該保持部縁部及び前記大径部端に丸味を設け、エンドガイド２０が過荷重を受けたとき、ノブ４０が浮き上がって前記保持部から外れ、ノブ４０の小径部が前記貫通溝内を摺動移動するようにした。【選択図】        図１
2006082900.tif 000002
【特許請求の範囲】
【請求項１】
給紙トレイのエンドガイドを取付けたアームが揺動して待避する構成を有する給紙トレイにおいて、
該エンドガイドを前記アームの中間部に回動自在にピン結合し、該エンドガイドの先端部の移動を案内する貫通溝を設けたサイドプレートを前記アームに設け、該貫通溝内を貫通して設けられ該溝内を遊動するノブを設け、該ノブは頭体と大径部と小径部とを連接した段付きピン形状とし、小径部先端をノブ軸方向に移動可能に、かつ、ノブを牽引する方向に付勢して前記エンドガイドに係止し、前記貫通溝には、用紙サイズに応じて前記エンドガイドが用紙に接する位置に前記ノブの大径部が嵌着する保持部を設け、該保持部縁部及び前記大径部端に丸味を設け、エンドガイドが過荷重を受けたとき、前記ノブが浮き上がって前記保持部から外れ、該ノブの小径部が前記貫通溝内を摺動移動するようにしたことを特徴とする給紙トレイ。
【発明の詳細な説明】
【技術分野】
【０００１】
本発明は、給紙トレイに関し、さらに詳しくは、給紙トレイのエンドガイドを取付けたアームが揺動して待避する構成を有する給紙トレイにおいて、用紙の大きさが異なる場合にもエンドガイドアームが無理なく作動するようにした給紙トレイに係るものである。
【背景技術】
【０００２】
給紙トレイに、エンドガイドを取付けたアームが揺動して退避する構成の給紙トレイがある（例えば、特許文献１参照。）。
【０００３】
このような給紙トレイは画像形成装置等に挿入する動作に連動して揺動自在に設けられているエンドガイドが機械的に強制的に元の位置に戻るようになっている。このような給紙トレイでは予めエンドガイドで設定した用紙よりも大きなサイズの用紙を給紙トレイ内に装入したときは、この給紙トレイを画像形成装置に装入するときに、アームやエンドガイドに過度の力がかかり、これらが破損する可能性がある。
【特許文献１】特開平４−２４３７３２号公報（第２−４頁、図１）
【発明の開示】
【発明が解決しようとする課題】
【０００４】
本発明は、給紙トレイのエンドガイドを取付けたアームが揺動して待避する構成を有する給紙トレイにおいて、サイズが異なる用紙を給紙トレイ内に装入した場合にも、この給紙トレイを画像形成装置に装入するときに、エンドガイド及びアームが無理なく作動するようにした給紙トレイを提供することを目的とするものである。
【課題を解決するための手段】
【０００５】
本発明は、上記問題点を解決するためになされたもので、次の技術手段を講じたことを特徴とする給紙トレイである。すなわち、本発明は、給紙トレイのエンドガイドを取付けたアームが揺動して待避する構成を有する給紙トレイにおいて、該エンドガイドを前記アームの中間部に回動自在にピン結合し、該エンドガイドの先端部の移動を案内する貫通溝を設けたサイドプレートを前記アームに設け、該貫通溝内を貫通して設けられ該溝内を遊動するノブを設け、該ノブは頭体と大径部と小径部とを連接した段付きピン形状とし、小径部先端をノブ軸方向に移動可能に、かつ、ノブを牽引する方向に付勢して前記エンドガイドに係止し、前記貫通溝には、用紙サイズに応じて前記エンドガイドが用紙に接する位置に前記ノブの大径部が嵌着する保持部を設け、該保持部縁部及び前記大径部端に丸味を設け、エンドガイドが過荷重を受けたとき、前記ノブが浮き上がって前記保持部から外れ、該ノブの小径部が前記貫通溝内を摺動移動するようにしたことを特徴とする給紙トレイである。
【０００６】
本発明は給紙トレイのエンドガイドを付けたアームが回動して退避する構成の給紙トレイにおいて、用紙と接触するエンドガイドに一定以上の力がかかったときに、アームとエンドガイドとの固定が外れ、エンドガイドが移動自由状態になるようにし、エンドガイド及びアームの破損を生じないようにしたものである。
【発明の効果】
【０００７】
本発明によれば、給紙トレイに補給する用紙サイズを間違うなどの誤操作をした場合や、リーガルペーパなどサイズの異なる用紙を使用する場合などに、エンドガイド及びアーム等の部品が破損したり変形したりするのを防止することができるという優れた効果を奏する。
【発明を実施するための最良の形態】
【０００８】
本発明は、給紙トレイのエンドガイドを取付けた揺動装置のアームが揺動して待避する構成を有する給紙トレイに適用される。本発明は、この揺動装置のエンドガイドを回動自在にアームにピン結合する。一方、アームにサイドプレートを設け、このサイドプレートにエンドガイドの先端部の移動を案内する貫通溝を設けた。そして、この貫通溝内を貫通して該溝内を遊動するノブを設け、このノブを介してエンドガイドとアームとを結合するようにした。このノブは頭体と大径部と小径部とを連接した段付きピン形状である。ノブの小径部先端をノブ軸方向に移動可能にかつ、ノブを牽引する方向に付勢して前記エンドガイドに係止する。このことによってエンドガイドはノブ、貫通溝、サイドプレートを介してアームに取付けられる。貫通溝には、ノブの大径部が嵌着する保持部を設けた。この保持部は用紙サイズに応じて前記エンドガイドが用紙に接する位置に位置している。この保持部縁部及び前記大径部端には丸味を設けてある。エンドガイドが過荷重を受けたとき、このノブが浮き上がってノブの小径部が貫通溝内を摺動移動する。
【０００９】
本発明ではノブの大径部が保持部に嵌着した状態で用紙サイズに応じたエンドガイドとして作用する。若し、エンドガイドが用紙から過大な力を受けたときは、ノブ軸に直交する方向からノブに力がかかり、保持部に嵌着しているノブの大径部の丸味と保持部縁部の丸味との作用によりノブの大径部が保持部から浮上り、ノブの大径部と保持部との係合が外れ、小径部が貫通溝内を遊動する。この過大な力によるノブの浮上りは、丸味の形状や、ノブとエンドガイドの係着部の付勢力等の設計によって適切に定めることができる。
【００１０】
以下図面を参照して本発明の実施の形態を説明する。
【００１１】
図８は本発明の適用される装置の模式的説明図である。用紙７０を装入した給紙トレイ６０を、収納部１００内に矢印３で示すように押し込む状態を示している。エンドガイド２０と、これを取付けたアーム１０とからなる揺動装置１は、スプリング４によって揺動自在に付勢され、給紙トレイ６０に用紙７０を装入するときは、図８に示すように、エンドガイド２０が用紙７０の押圧部（縁部）から退避している。給紙トレイ６０を矢印３で示すように押し込むと、カム２がアーム１０を押圧し、アーム１０は揺動してエンドガイド２０が用紙端を押えるようになっている。
【００１２】
本発明はこの揺動装置１の改善に係るもので、サイズが異なる用紙７０に対して、エンドガイド２０及びアーム１０に無理な力がかからないように工夫したものである。
【００１３】
図６は本発明の適用される収納部１００の斜視図で、給紙トレイ６０は矢印３で示すように挿入される。図７は図６の一部切断斜視図で給紙トレイ６０が収納部１００内に収納されており、実施例の揺動装置１が適切に収納されている状態を示している。
【００１４】
本発明に係る揺動装置１はアーム１０、エンドガイド２０、サイドプレート３０を備えている。
【００１５】
図１は実施例の揺動装置１の分解斜視図、図２は実施例の揺動装置１の平面図、図３はその側面図、図４はその正面図、図５はノブの側面図である。
【００１６】
本発明の揺動装置１は、アーム１０とエンドガイド２０とを別体とし、エンドガイド２０はアーム１０の中間部に設けたブラケット１２にピン２１が係合し、自由端２２が移動するように回動自在に取り付けられている。また、サイドプレート３０がアーム１０の上端に固定手段３１によって固定的に取付けられている。サイドプレート３０には貫通溝３３が設けられている。この貫通溝３３にノブ４０が上から挿入され、ノブ４０の下端はエンドガイド２０の自由端２２に係止している。ノブ４０は図５に示すように頭部４１、大径部４２、小径部４３からなるピン状で下端はエンドガイド２０の自由端２２に設けた孔２３を通って係止し、ノブ４０の下端にスプリング４４を備えている。スプリング４４はノブ４０を下方に付勢するように作用する。
【００１７】
本発明の給紙トレイは、過度の力が発生したとき、エンドガイド２０とこれを保持しているアーム１０との結合が外れ、部品の破損を防止する。エンドガイド２０とアーム１０とは、アーム１０に設けたサイドプレート３０とノブ４０によって結合されている。サイドプレート３０に設けられた貫通溝は複数の用紙サイズに対応した位置に丸孔３４を設け、丸孔と丸孔の孔径よりも小さい幅の溝とが連結されている。
【００１８】
ノブ４０の大径部は上記丸孔３４に係合する。ノブ４０の小径部は貫通溝３３内を遊動する。
【００１９】
図２に示した溝３３に設けた丸孔３４は例えばＢ５版の用紙に、丸孔３４ｂはＡ４版の用紙に、丸孔３４ｃはリーガルペーパに対応するものを例示したものである。
【００２０】
上記ノブ４０とエンドガイド２０をノブ４０を小径端側へ牽引するように付勢して取付ける。ノブ４０を小径端側へ牽引するように付勢して取り付ける。ノブ４０の大径部は上記丸孔３４の何れかに嵌合し係着している。
【００２１】
用紙サイズを変更するときは、図３に矢印４５で示すようにノブ４０を上方に引き上げ、丸孔３４との嵌合を開放し、ノブ４０とそれに連動したエンドガイド２０を溝３３に沿って移動し、移動後、サイズ変更後の丸孔３４に嵌合させる。嵌合したとき、ノブ４０の大径部４２と上記プレートの丸孔３４の内側が接触するようにし、エンドガイドに過度の力が働いたときはノブ４０が上方に逃げる構成にする。
【図面の簡単な説明】
【００２２】
【図１】実施例のアームの分解斜視図である。
【図２】実施例のアームの平面図である。
【図３】実施例のアームの側面図である。
【図４】実施例のアームの正面図である。
【図５】ノブの側面図である。
【図６】収納部の斜視図である。
【図７】収納部の切欠斜視図である。
【図８】トレイ挿脱の模式説明図である。
【符号の説明】
【００２３】
１    揺動装置
２    カム
３    矢印
４    スプリング
１０    アーム
１２    ブラケット
２０    エンドガイド
２１    ピン
２２    自由端
２３    孔
３０    サイドプレート
３１    固定手段
３３    貫通溝
３４（３４ａ，３４ｂ，３４ｃ）    丸孔
４０    ノブ
４１    頭部
４２    大径部
４３    小径部
４４    スプリング
６０    給紙トレイ
７０    用紙
１００    収納部
【図１】
2006082900.tif 000003
【図２】
2006082900.tif 000004
【図３】
2006082900.tif 000005
【図４】
2006082900.tif 000006
【図５】
2006082900.tif 000007
【図６】
2006082900.tif 000008
【図７】
2006082900.tif 000009
【図８】
2006082900.tif 000010